【手続補正書】
【提出日】令和2年11月19日(2020.11.19)
【手続補正１】
【補正対象書類名】特許請求の範囲
【補正対象項目名】全文
【補正方法】変更
【補正の内容】
【特許請求の範囲】
【請求項１】
管路（１１１）を流れる被計測流体の流量を測定する流量測定装置（１０Ａ〜１０Ｎ，１０Ｐ〜１０Ｓ）であって、
前記管路において前記被計測流体の主流方向（Ｙ）に交差する方向に互いに対向するように配置される第１側壁部（５１）と第２側壁部（５２）とを有する中空のハウジング（５０）であって、前記管路において前記主流方向の上流側に向かって開口し、前記被計測流体が流入する導入口（５５）と、前記第１側壁部に設けられ、前記被計測流体が流出する導出口（５６）と、が設けられたハウジングと、
前記ハウジングの内部に設けられ、前記導入口と前記導出口とを接続し、前記被計測流体が流通する第１流路（６１）と、
前記ハウジングの内部に設けられ、前記第１流路から分岐し、前記第１流路の前記被計測流体が分流する第２流路（７０）と、
前記第２流路に配置され、前記第２流路を流れる前記被計測流体の流量を検出する検出部（７５）と、
前記第１側壁部の外壁面を構成し、前記主流方向における前記第１側壁部の上流側端部から前記導出口にわたって前記主流方向に沿って連続している平坦面（５１ｐ）と、
を備え、
前記第１側壁部は、前記平坦面の下流側に形成され、前記主流方向における下流に向かうにつれて前記主流方向と直交する方向に沿って前記導入口から離れた位置に位置するように前記主流方向に対して傾斜する傾斜側面を有し、
前記導出口は、前記傾斜側面に形成され、前記主流方向に対して斜めに開口している、流量測定装置。
【請求項２】
管路（１１１）を流れる被計測流体の流量を測定する流量測定装置（１０Ａ〜１０Ｎ，１０Ｐ〜１０Ｓ）であって、
前記管路において前記被計測流体の主流方向（Ｙ）に交差する方向に互いに対向するように配置される第１側壁部（５１）と第２側壁部（５２）とを有する中空のハウジング（５０）であって、前記管路において前記主流方向の上流側に向かって開口し、前記被計測流体が流入する導入口（５５）と、前記第１側壁部に設けられ、前記被計測流体が流出する導出口（５６）と、が設けられたハウジングと、
前記ハウジングの内部に設けられ、前記導入口と前記導出口とを接続し、前記被計測流体が流通する第１流路（６１）と、
前記ハウジングの内部に設けられ、前記第１流路から分岐し、前記第１流路の前記被計測流体が分流する第２流路（７０）と、
前記第２流路に配置され、前記第２流路を流れる前記被計測流体の流量を検出する検出部（７５）と、
前記第１側壁部の外壁面を構成し、前記主流方向における前記第１側壁部の上流側端部から前記導出口にわたって前記主流方向に沿って連続している平坦面（５１ｐ）と、
を備え、
前記第１側壁部は、前記導出口に対して前記主流方向における下流側に連続して前記第１側壁部から外方に張り出している張出部（６４）を有する、流量測定装置。
【請求項３】
請求項１または請求項２に記載の流量測定装置であって、
前記導出口は第１導出口（５６）であり、
前記平坦面は第１平坦面（５６ｐ）であり、
前記第２側壁部には、前記第１流路に接続され、前記第１流路の前記被計測流体が流出する第２導出口（５７）が設けられており、
前記第２側壁部は、前記第２側壁部の外壁面を構成し、前記主流方向における前記第２側壁部の上流側端部から前記第２導出口にわたって前記主流方向に沿って連続している第２平坦面（５２ｐ）を有する、流量測定装置。
【請求項４】
請求項１から請求項３までのいずれか一項に記載の流量測定装置であって、
前記第１流路は、前記導出口側の端部に、前記導出口に近い部位ほど前記導入口から離れた位置に位置するように、前記主流方向に対して傾斜している端部傾斜面（６３ａ）を有し、
前記端部傾斜面は、前記導入口と対向する部位を含み、前記導出口まで連続している、流量測定装置。
【請求項５】
請求項３記載の流量測定装置であって、
前記第１流路は、
前記第１導出口側の端部に、前記第１導出口に近い部位ほど前記導入口から離れた位置に位置するように、前記主流方向に対して傾斜している第１端部傾斜面（６３ａ）であって、前記導入口と対向する部位を含み、前記第１導出口まで連続している第１端部傾斜面を有し、
前記第２導出口側の端部に、前記第２導出口に近い部位ほど前記導入口から離れた位置に位置するように、前記主流方向に対して傾斜している第２端部傾斜面（６６ａ）であって、前記導入口と対向する部位を含み、前記第２導出口まで連続している第２端部傾斜面を有する、流量測定装置。
【請求項６】
請求項５記載の流量測定装置であって、
前記ハウジング内の前記導入口と対向する位置に、前記第１端部傾斜面と前記第２端部傾斜面とが交差する角部（６５）が形成されている、流量測定装置。
【請求項７】
請求項３、請求項５、および、請求項６のいずれか一項に記載の流量測定装置であって、
前記第１側壁部は、前記主流方向における前記第１導出口の下流側に、前記第１側壁部から外方に張り出している第１張出部（６４）を有し、
前記第２側壁部は、前記主流方向における前記第２導出口の下流側に、前記第２側壁部から外方に張り出している第２張出部（６７）を有する、流量測定装置。
【請求項８】
請求項１から請求項７のいずれか一項に記載の流量測定装置であって、
前記検出部は、前記第１流路から前記検出部へと向かう方向に前記被計測流体が流れるときの流量を順流での流量として出力し、前記検出部から前記第１流路へと向かう方向に前記被計測流体が流れるときの流量を逆流での流量として出力する、流量測定装置。
【手続補正２】
【補正対象書類名】明細書
【補正対象項目名】０００６
【補正方法】変更
【補正の内容】
【０００６】
本開示の一形態は、管路（１１１）を流れる被計測流体の流量を計測する流量測定装置（１０Ａ〜１０Ｎ，１０Ｐ〜１０Ｓ）として提供される。この形態の流量測定装置は、前記管路において前記被計測流体の主流方向（Ｙ）に交差する方向に互いに対向するように配置される第１側壁部（５１）と第２側壁部（５２）とを有する中空のハウジング（５０）であって、前記主流方向の上流側に向かって開口し、前記被計測流体が流入する導入口（５５）と、前記第１側壁部に設けられ、前記被計測流体が流出する導出口（５６）と、が設けられたハウジングと、前記ハウジングの内部に設けられ、前記導入口と前記導出口とを接続し、前記被計測流体が流通する第１流路（６１）と、前記ハウジングの内部に設けられ、前記第１流路から分岐し、前記第１流路の前記被計測流体が分流する第２流路（７０）と、前記第２流路に配置され、前記第２流路を流れる前記被計測流体の流量を検出する検出部（７５）と、前記第１側壁部の外壁面を構成し、前記主流方向における前記第１側壁部の上流側端部から前記導出口にわたって前記主流方向に沿って連続している平坦面（５１ｐ）と、を備え、前記第１側壁部は、前記平坦面の下流側に形成され、前記主流方向における下流に向かうにつれて前記主流方向と直交する方向に沿って前記導入口から離れた位置に位置するように前記主流方向に対して傾斜する傾斜側面を有し、前記導出口は、前記傾斜側面に形成され、前記主流方向に対して斜めに開口している。
本開示の他の形態は、管路（１１１）を流れる被計測流体の流量を計測する流量測定装置（１０Ａ〜１０Ｎ，１０Ｐ〜１０Ｓ）として提供される。この形態の流量測定装置は、前記管路において前記被計測流体の主流方向（Ｙ）に交差する方向に互いに対向するように配置される第１側壁部（５１）と第２側壁部（５２）とを有する中空のハウジング（５０）であって、前記主流方向の上流側に向かって開口し、前記被計測流体が流入する導入口（５５）と、前記第１側壁部に設けられ、前記被計測流体が流出する導出口（５６）と、が設けられたハウジングと、前記ハウジングの内部に設けられ、前記導入口と前記導出口とを接続し、前記被計測流体が流通する第１流路（６１）と、前記ハウジングの内部に設けられ、前記第１流路から分岐し、前記第１流路の前記被計測流体が分流する第２流路（７０）と、前記第２流路に配置され、前記第２流路を流れる前記被計測流体の流量を検出する検出部（７５）と、前記第１側壁部の外壁面を構成し、前記主流方向における前記第１側壁部の上流側端部から前記導出口にわたって前記主流方向に沿って連続している平坦面（５１ｐ）と、を備え、前記第１側壁部は、前記導出口に対して前記主流方向における下流側に連続して前記第１側壁部から外方に張り出している張出部（６４）を有する。